(57)【要約】【課題】建物内の空気を効率的に換気でき、なおかつ冬期でもファンを有効に活用できる換気構造を提供する。【解決手段】建物の換気構造１は、建物２の陸屋根３から上方に突出し、内部が陸屋根３の下の居室４に連通し、建物２の外部に対し開閉自在な開閉窓２０を備えた換気塔１０と、換気塔１０の天井面から垂下されたファン１１と、ファン１１を換気塔１０内の位置と居室４内の位置との間で昇降させる昇降装置１２と、ファン１１の回転方向を切り替えて、ファン１１の風向を上方と下方に切り替える風向切り替え装置１３と、を有している。【選択図】図１
2014051862.tif 000002
【特許請求の範囲】
【請求項１】
建物の換気構造であって、
建物の陸屋根から上方に突出し、内部が前記陸屋根の下の居室に連通し、建物の外部に対し開閉自在な開閉窓を備えた換気塔と、
前記換気塔の天井面から垂下されたファンと、
前記ファンを前記換気塔内の位置と前記居室内の位置との間で昇降させる昇降装置と、
前記ファンの回転方向を切り替えて、前記ファンの風向を上方と下方に切り替える風向切り替え装置と、を有する、建物の換気構造。
【発明の詳細な説明】
【技術分野】
【０００１】
本発明は、建物の換気構造に関する。
【背景技術】
【０００２】
都市部などの密集地に建築される建物は、隣接する建物との離隔距離が十分に確保できないので、風が流れにくく、建物の側壁面の窓のみで建物内部の換気を充分に行うことが難しい。
【０００３】
そこで、建物の天井面に換気用の窓を設けることがある。例えば特許文献１には、建物の天井面に開放可能な天窓を設け、その天窓の真下に気流を生じさせるファンを設けることが開示されている。
【先行技術文献】
【特許文献】
【０００４】
【特許文献１】特開２００５−１４６８３８号公報
【発明の概要】
【発明が解決しようとする課題】
【０００５】
しかしながら、上述のように天窓の真下に単にファンを設けても、建物内の空気を天窓から効率よく排出するのは難しい。また、冬期には、建物内の空調された暖気の排出を抑制する為に、ファンはほとんど停止状態となり有効的に活用されない状態が続く。
【０００６】
本発明はかかる点に鑑みてなされたものであり、建物内の空気を効率的に排出でき、なおかつ冬期でもファンを有効に活用できる建物の換気構造を提供することをその目的とする。
【課題を解決するための手段】
【０００７】
上記目的を達成するための本発明は、建物の換気構造であって、建物の陸屋根から上方に突出し、内部が前記陸屋根の下の居室に連通し、建物の外部に対し開閉自在な開閉窓を備えた換気塔と、前記換気塔の天井面から垂下されたファンと、前記ファンを前記換気塔内の位置と前記居室内の位置との間で昇降させる昇降装置と、前記ファンの回転方向を切り替えて、前記ファンの風向を上方と下方に切り替える風向切り替え装置と、を有する建物の換気構造である。
【０００８】
本発明によれば、ファンを上昇させて流路の狭い換気塔内に配置し、ファンを回して上方に向けて送風できるので、居室の空気を効率的に換気塔内に取り込み、換気塔の開閉窓から建物外部に排出できる。また、ファンを降下させて居室内に配置し、ファンを逆に回して下方に向けて送風できるので、例えば冬場に居室の上部や換気塔内部に溜まる暖気を効果的に下方に流し、建物内の空気を循環させることができる。これにより、建物内の空気を効率的に換気でき、なおかつ冬期でもファンを有効に活用できる。
【発明の効果】
【０００９】
本発明によれば、建物内の空気を効率的に換気でき、なおかつ冬期でもファンを有効に活用できる。
【図面の簡単な説明】
【００１０】
【図１】換気構造を有する建物の模式図である。
【図２】換気構造の構成の概略を示す説明図である。
【図３】ファンを居室内の位置に下げた状態を示す説明図である。
【発明を実施するための形態】
【００１１】
以下、図面を参照して、本発明の好ましい実施の形態について説明する。図１は、本実施の形態に係る換気構造１を有する建物２を示す模式図である。なお、本明細書及び図面において、実質的に同一の機能構成を有する構成要素については、同一の符号を付することにより重複説明を省略する。
【００１２】
換気構造１は、例えば建物２の陸屋根３から上方に突出した換気塔１０と、換気塔１０の天井面から垂下されたファン１１と、ファン１１を昇降させる昇降装置１２と、ファン１１の回転方向を切り替えてファン１１の風向を上方と下方に切り替える風向切り替え装置１３と、を有している。また、居室４の側壁面には、例えば開閉窓５が設けられており、居室４の１階部と２階部とは、例えば吹抜け６を介して連通している。
【００１３】
換気塔１０は、例えば直方体状の外形を有している。換気塔１０の内部は、陸屋根３の下の居室４と連通している。換気塔１０の四方の側壁面には、建物２の外部に対し開閉自在な開閉窓２０が設けられている。開閉窓２０は、例えば上部を支点として外側に回動して開閉できる。
【００１４】
ファン１１は、例えば複数枚の羽根３０を備えている。ファン１１は、正回転のときに上方に向けて送風し、逆回転のときに下方に向けて送風できる。
【００１５】
例えば図２に示すように昇降装置１２は、例えばファン１１を吊るす紐４０と、紐４０を巻き取り、巻き戻すためのプーリ４１と、プーリ４１を回転駆動するモータなどの駆動部４２と、駆動部４２の駆動を制御する制御部４３を有している。昇降装置１２は、制御部４３により駆動部４２を駆動させ、プーリ４１を回転させることにより、紐４０を巻き取り、或いは巻き戻し、ファン１１を上下動させることができる。昇降装置１２は、ファン１１を換気塔１０内の所定位置と居室４内の所定位置の間で昇降できる。なお、例えば制御部４３に対する指示信号は、リモコンや居室４の壁等に設けられたスイッチにより発せられ、制御部４３は、当該指示信号に従って駆動部４２を駆動する。
【００１６】
風向切り替え装置１３は、例えばファン１１を回転駆動するモータなどの駆動部５０と、駆動部５０の駆動を制御する制御部５１を有している。駆動部５０は、ファン１１を正逆回転可能である。風向切り替え装置１３は、制御部５１により駆動部５０の回転方向を変え、ファン１１の回転方向を変えることによって、ファン１１の風向を上方と下方に切り替えることができる。なお、例えば制御部５１に対する指示信号は、リモコンや居室４の壁等に設けられたスイッチにより発せられ、制御部５１は、当該指示信号に従って駆動部５０を駆動する。
【００１７】
次に、以上のように構成された換気構造１の動作について説明する。例えば夏期など建物２の居室４の換気を行う場合には、図１、２に示すように換気塔１０の開閉窓２０および居室４の開閉窓５が開けられ、ファン１１が昇降装置１２によって上昇し換気塔１０内に配置される。そして、ファン１１が風向切り替え装置１３により正回転すると上方への気流が形成され、居室４内の空気が吸い上げられ換気塔１０内を通って開閉窓２０から建物の外部に排出される。このとき、居室４に比べて流路が狭い換気塔１０の内部でファン１１が回転するので、強い上向きの気流が形成され、居室４内の空気が効率的に換気される。
【００１８】
また、冬期など居室４内の空気を循環させる場合には、図３に示すように換気塔１０の開閉窓２０が閉められ、昇降装置１２によりファン１１が換気塔１０内の位置から下げられ、居室４内の位置に移動される。そして、風向切り替え装置１３によりファン１１が逆回転し、下方への気流が形成される。これにより、換気塔１０の内部や居室４の上部の空気がファン１１の下方に流されるとともに、居室４の下部の空気がファン１１の側方の空間を経由しファン１１の上方にまわり込むことで建物内の空気が循環する。このとき、ファン１１が居室４内にあることにより、ファン１１の側方及び上方に十分な空間が確保されているので、建物内の空気が効率的に循環される。
【００１９】
本実施の形態によれば、夏期等換気を必要とする場合には、ファン１１を上昇させて流路の狭い換気塔１０内に配置し、ファン１１を正回転させて上方に向かう気流を形成することができるので、居室４の空気を効率的に換気塔１０内に取り込み、換気塔１０の開閉窓２０から建物の外部に排出できる。従って、建物が密集して風が通りにくい都市部に建築される建物においても、換気を効率的に行うことができる。また、換気のニーズの低い冬期においては、ファン１１を降下させてファン１１の側方や上方に充分な空間が確保されるように居室４内に配置し、ファン１１を逆回転させることで居室４の上部や換気塔１０に溜まる暖気を効果的に下方に流すとともに居室４の下部の空気をファン１１の上方に送るすことができるので、建物内の空気を効率的に循環させることができる。したがって、換気のニーズの低い冬期でもファン１１を有効に活用することができる。
【００２０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２１】
例えば上述の昇降装置１２において、ファン１１は駆動部４２により昇降されていたが、手動により昇降されてもよい。また、居室４は、リビングなどの部屋であってもよいし、廊下や階段等であってもよい。
【産業上の利用可能性】
【００２２】
本発明は、建物内の空気を効率的に換気し、なおかつ冬期でもファンを有効に活用する際に有用である。
【符号の説明】
【００２３】
１  換気構造
２  建物
３  陸屋根
４  居室
１０  換気塔
１１  ファン
１２  昇降装置
１３  風向切り替え装置
【図１】
2014051862.tif 000003
【図２】
2014051862.tif 000004
【図３】
2014051862.tif 000005